(57)【要約】【課題】ボタンに香りを付与することができるボタンを提供する。【解決手段】ボタン本体（２０）と、ボタン本体（２０）の上面に取り付けられる芳香剤保持部材（３０）と、を備え、芳香剤保持部材（３０）に芳香剤が含浸される。【選択図】図２
0003212511.tif 000002
【実用新案登録請求の範囲】
【請求項１】
ボタン本体（２０，２０Ｂ，２０Ｅ）と、前記ボタン本体（２０，２０Ｂ，２０Ｅ）の上面に取り付けられる芳香剤保持部材（３０）と、を備え、
前記芳香剤保持部材（３０）に芳香剤が含浸されることを特徴とするボタン（１０，１０Ｂ，１０Ｃ，１０Ｄ，１０Ｅ）。
【請求項２】
前記ボタン本体（２０，２０Ｂ，２０Ｅ）と一体又は別体に設けられ、前記芳香剤保持部材（３０）を前記ボタン本体（２０，２０Ｂ，２０Ｅ）に取り付ける取付部材（４０，４０Ｅ）を備えることを特徴とする請求項１に記載のボタン（１０，１０Ｂ，１０Ｃ，１０Ｄ，１０Ｅ）。
【請求項３】
前記芳香剤保持部材（３０）は、軟質部材であることを特徴とする請求項１又は２に記載のボタン（１０，１０Ｂ，１０Ｃ，１０Ｄ，１０Ｅ）。
【請求項４】
前記芳香剤保持部材（３０）は、前記ボタン本体（２０，２０Ｂ，２０Ｅ）の上面において中心部が外部に露出するように配置されることを特徴とする請求項１〜３のいずれか１項に記載のボタン（１０，１０Ｂ，１０Ｃ，１０Ｄ，１０Ｅ）。
【請求項５】
前記ボタン本体（２０）の上面が、凹状に形成されることを特徴とする請求項１〜４のいずれか１項に記載のボタン（１０Ｃ，１０Ｄ）。
【考案の詳細な説明】
【技術分野】
【０００１】
この考案は、ボタンに関する。なお、本考案のボタンは、ボタンホールに挿通して使用するタイプ、スナップ式に着脱可能なタイプ、装飾用タイプを含むものである。
【背景技術】
【０００２】
従来のボタンとして、脚部を有する金属製ベースと、中座と、軟質素材を使用した表面部材と、を備え、表面部材が略環状形状の外縁部材により金属製ベースに取り付けられるものが知られる（例えば、特許文献１参照）。
【先行技術文献】
【特許文献】
【０００３】
【特許文献１】特開２００８−２６４０１３号公報
【考案の概要】
【考案が解決しようとする課題】
【０００４】
ところで、上記特許文献１に記載のボタンでは、皮革やデニム生地からなる表面部材を備えるものの、ボタンに香りを付与することについては考えられていなかった。
【０００５】
本考案は、前述した事情に鑑みてなされたものであり、その目的は、ボタンに香りを付与することができるボタンを提供することにある。
【課題を解決するための手段】
【０００６】
本考案の上記目的は、下記の構成により達成される。
（１）ボタン本体と、ボタン本体の上面に取り付けられる芳香剤保持部材と、を備え、芳香剤保持部材に芳香剤が含浸されることを特徴とするボタン。
（２）ボタン本体と一体又は別体に設けられ、芳香剤保持部材をボタン本体に取り付ける取付部材を備えることを特徴とする（１）に記載のボタン。
（３）芳香剤保持部材は、軟質部材であることを特徴とする（１）又は（２）に記載のボタン。
（４）芳香剤保持部材は、ボタン本体の上面において中心部が外部に露出するように配置されることを特徴とする（１）〜（３）のいずれか１つに記載のボタン。
（５）ボタン本体の上面が、凹状に形成されることを特徴とする（１）〜（４）のいずれか１つに記載のボタン。
【考案の効果】
【０００７】
本考案によれば、ボタン本体と、ボタン本体の上面に取り付けられる芳香剤保持部材と、を備え、芳香剤保持部材に芳香剤が含浸されるため、ボタンに香りを付与することができる。
【図面の簡単な説明】
【０００８】
【図１】本考案に係るボタンの第１実施形態を説明する上面図である。
【図２】図１に示すボタンの断面図である。
【図３】第１実施形態のボタンの変形例を説明する断面図である。
【図４】本考案に係るボタンの第２実施形態を説明する断面図である。
【図５】本考案に係るボタンの第３実施形態を説明する断面図である。
【図６】本考案に係るボタンの第４実施形態を説明する断面図である。
【図７】本考案に係るボタンの第５実施形態を説明する断面図である。
【図８】本考案に係るボタンが使用されたシャツを示す正面図である。
【図９】本考案に係るボタンが使用されたパンツを示す正面図である。
【考案を実施するための形態】
【０００９】
以下、本考案に係るボタンの各実施形態について、図面に基づいて詳細に説明する。なお、以後の説明において、上側とは図２の紙面に対して上側、下側とは図２の紙面に対して下側とする。また、本実施形態のボタンは後述するように円形状に形成されるため、上下方向を軸方向とも言い、上下方向と直交する方向を径方向と言う。
【００１０】
（第１実施形態）
まず、図１及び図２を参照して、本考案に係るボタンの第１実施形態について説明する。
【００１１】
本実施形態のボタン１０は、図１又は図２に示すように、上面視円形状に形成されるものであり、ボタン本体２０と、ボタン本体２０の上面に配置される芳香剤保持部材３０と、ボタン本体２０と別体に設けられ、芳香剤保持部材３０をボタン本体２０に取り付ける取付部材４０と、を備える。また、ボタン１０は、互いに一部分が重なる上下一対の生地のうちの下生地Ｃに固定部材１１で取り付けられ、下生地Ｃに対し上生地を留めるために用いられる。
【００１２】
ボタン本体２０は、図２に示すように、固定部材１１と結合するボタンバック２１と、ボタンバック２１の上端に被せられるキャップやシェルと呼ばれるカバー部材２２と、ボタンバック２１とカバー部材２２との間に配置されるコアプレート２３と、を備える。
【００１３】
ボタンバック２１は、例えば、プレス加工などで一定の厚さの金属板から形成されるものであり、固定部材１１を挿入させる挿入穴２５ａを有する底部２５と、底部２５の外周縁から上側に延びる側面部２６と、側面部２６の上端縁から径方向外側に延びるフランジ部２７と、を有する。
【００１４】
カバー部材２２は、例えば、プレス加工などで一定の厚さの金属板から形成されるものであり、ボタンバック２１の上部開口を閉塞するようにボタンバック２１のフランジ部２７の外周縁にかしめにより取り付けられている。
【００１５】
コアプレート２３は、金属製又は合成樹脂製の板状部材であり、上下方向において、ボタンバック２１のフランジ部２７とカバー部材２２との間に収容される。そして、下生地Ｃを貫通させた固定部材１１を挿入穴２５ａに挿通させて、固定部材１１をコアプレート２３に対して押し込むことにより、固定部材１１の先端が軸方向に潰れるように塑性変形して、ボタン１０が下生地Ｃに取り付けられる。
【００１６】
芳香剤保持部材３０は、生地やコルクなどからなる軟質部材であり、芳香剤を含浸させることができる。なお、芳香剤としては、香水やアロマオイル、虫除け効果があるとされるシトロネラなどのエッセンシャルオイルを使用することができる。また、芳香剤は、液状でなくジェル状であってもよい。
【００１７】
取付部材４０は、例えば、プレス加工などで一定の厚さの略環状形状の金属板から形成されるものであり、ボタン本体２０のカバー部材２２の外周縁にかしめにより取り付けられている。そして、取付部材４０がカバー部材２２に取り付けられることにより、上下方向において、芳香剤保持部材３０が取付部材４０とカバー部材２２との間に挟み込まれて固定される。芳香剤保持部材３０は、径方向外縁部が取付部材４０とカバー部材２２との間に挟みこまれ、径方向中心部が取付部材４０によって上面が覆われることなくボタン本体２０の上面において外部に露出するように配置されることとなる。これにより、芳香剤保持部材３０に含浸された芳香剤の効果が弱くなった場合、ボタン１０を下生地Ｃから取り外すことなく、芳香剤を再び芳香剤保持部材３０に含浸させることができる。
【００１８】
また、図１に示すように、取付部材４０の上面板４１には、ロゴなどの凹状の刻印Ｓが施されている。このため、上面板４１の下面に下方に突出する凸部が形成されるため、芳香剤保持部材３０をカバー部材２２に強く押し付けることができる。これにより、芳香剤保持部材３０の固定をより強固にすることができる。
【００１９】
以上説明したように、本実施形態のボタン１０によれば、ボタン本体２０の上面に取り付けられる芳香剤保持部材３０を備え、芳香剤保持部材３０に芳香剤が含浸されているため、ボタン１０に香りを付与することができる。
【００２０】
また、本実施形態のボタン１０によれば、芳香剤保持部材３０が軟質部材であるため、取付部材４０による芳香剤保持部材３０の固定を強固にすることができる。
【００２１】
また、本実施形態のボタン１０によれば、取付部材４０の上面板４１に、ロゴなどの凹状の刻印Ｓが施されるため、芳香剤保持部材３０の固定をより強固にすることができる。
【００２２】
また、本実施形態の変形例として、図３に示すように、カバー部材２２を省略してもよい。この場合、ボタンバック２１と取付部材４０との間に、コアプレート２３と芳香剤保持部材３０を配置する。
【００２３】
（第２実施形態）
次に、図４を参照して、本考案に係るボタンの第２実施形態について説明する。なお、第１実施形態と同一又は同等部分については、図面に同一或いは同等符号を付してその説明を省略或いは簡略化する。
【００２４】
本実施形態のボタン１０Ｂは、図４に示すように、上面視円形状に形成されるものであり、ボタン本体２０Ｂと、ボタン本体２０Ｂの上面に配置される芳香剤保持部材３０と、ボタン本体２０Ｂと別体に設けられ、芳香剤保持部材３０をボタン本体２０Ｂに取り付ける取付部材４０と、を備える。また、本実施形態のボタン１０Ｂは、スナップボタンのソケットと呼ばれる雌部材である。また、ボタン１０Ｂは、互いに一部分が重なる上下一対の生地のうちの上生地Ｃ１にソケット１１Ｂを固定する。下生地Ｃ２には、ソケット１１Ｂと係合するスナップボタンの雄部材であるスタッド１２Ｂが取り付けられる。これにより、下生地Ｃ２に対し上生地Ｃ１を留めることができる。
【００２５】
ボタン本体２０Ｂは、図４に示すように、ソケット１１Ｂと結合するアイレット２４と、アイレット２４の上端に被せられるカバー部材２２Ｂと、を備える。なお、アイレット２４をソケット１１Ｂに打ち付ける際、アイレット２４に強い力が作用するため、アイレット２４の中心部分が上方に持ち上がり、芳香剤保持部材３０と取付部材４０に変形が生じることがあるが、本実施形態では、カバー部材２２Ｂを設けるため、芳香剤保持部材３０と取付部材４０の変形を防止することができる。
【００２６】
以上説明したように、本実施形態のボタン１０Ｂによれば、ボタン本体２０Ｂの上面に取り付けられる芳香剤保持部材３０を備え、芳香剤保持部材３０に芳香剤が含浸されているため、ボタン１０Ｂに香りを付与することができる。
【００２７】
なお、本実施形態では、ボタン１０Ｂにソケット１１Ｂが結合されているが、逆に、ボタン１０Ｂにスタッド１２Ｂが結合されていてもよい。この場合、下生地Ｃ２にソケット１１Ｂが取り付けられる。
その他の構成及び作用効果については、上記第１実施形態と同様である。
【００２８】
（第３実施形態）
次に、図５を参照して、本考案に係るボタンの第３実施形態について説明する。なお、第１実施形態と同一又は同等部分については、図面に同一或いは同等符号を付してその説明を省略或いは簡略化する。また、上記第１実施形態と比較して、取付部材を削除した以外はほぼ同じ構造である。
【００２９】
本実施形態のボタン１０Ｃでは、図５に示すように、ボタン本体２０の上面が凹状に湾曲して形成され、その上面に芳香剤保持部材３０が接着または貼付により固定されている。
【００３０】
以上説明したように、本実施形態のボタン１０Ｃによれば、ボタン本体２０の上面に取り付けられる芳香剤保持部材３０を備え、芳香剤保持部材３０に芳香剤が含浸されているため、ボタン１０Ｃに香りを付与することができる。
【００３１】
また、本実施形態のボタン１０Ｃによれば、ボタン本体２０の上面が凹状に湾曲して形成され、その凹状の上面に芳香剤保持部材３０が取り付けられるため、芳香剤保持部材３０を外部応力から保護することができる。
その他の構成及び作用効果については、上記第１実施形態と同様である。
【００３２】
（第４実施形態）
次に、図６を参照して、本考案に係るボタンの第４実施形態について説明する。なお、第１実施形態と同一又は同等部分については、図面に同一或いは同等符号を付してその説明を省略或いは簡略化する。また、上記第１実施形態と比較して、取付部材を削除した以外はほぼ同じ構造である。
【００３３】
本実施形態のボタン１０Ｄでは、図６に示すように、ボタン本体２０の上面が凹状に形成され、その上面に芳香剤保持部材３０が接着または貼付により固定されている。そして、ボタン本体２０の上面の凹状は、ボタン本体２０のカバー部材２２の外周縁に上方に突出するリブ２８を形成することにより設けられる。また、リブ２８の高さは、リブ２８の上端が芳香剤保持部材３０の上面よりも上方に位置するように設定される。
【００３４】
以上説明したように、本実施形態のボタン１０Ｄによれば、ボタン本体２０の上面に取り付けられる芳香剤保持部材３０を備え、芳香剤保持部材３０に芳香剤が含浸されているため、ボタン１０Ｄに香りを付与することができる。
【００３５】
また、本実施形態のボタン１０Ｄによれば、ボタン本体２０の上面が凹状に形成され、その凹状の上面に芳香剤保持部材３０が取り付けられるため、芳香剤保持部材３０を外部応力から保護することができる。
その他の構成及び作用効果については、上記第１実施形態と同様である。
【００３６】
（第５実施形態）
次に、図７を参照して、本考案に係るボタンの第５実施形態について説明する。なお、第１実施形態と同一又は同等部分については、図面に同一或いは同等符号を付してその説明を省略或いは簡略化する。
【００３７】
本実施形態のボタン１０Ｅは、図７に示すように、上面視円形状に形成されるものであり、ボタン本体２０Ｅと、ボタン本体２０Ｅの上面に配置される芳香剤保持部材３０と、ボタン本体２０Ｅと一体に設けられ、芳香剤保持部材３０をボタン本体２０Ｅに取り付ける取付部材４０Ｅと、を備える。また、本実施形態のボタン１０Ｅは、スナップボタンのソケットと呼ばれる雌部材である。また、ボタン１０Ｅは、互いに一部分が重なる上下一対の生地のうちの上生地Ｃ１にソケット１１Ｅを固定する。下生地Ｃ２には、ソケット１１Ｅと係合するスナップボタンの雄部材であるスタッド１２Ｅが取り付けられる。これにより、下生地Ｃ２に対し上生地Ｃ１を留めることができる。
【００３８】
ボタン本体２０Ｅは、図７に示すように、リング状のベースプレート２１Ｅと、ベースプレート２１Ｅの内周縁から下方に突出する複数の爪部２２Ｅと、を有する。そして、複数の爪部２２Ｅが、上生地Ｃ１を貫通してソケット１１Ｅと結合する。
【００３９】
取付部材４０Ｅは、ボタン本体２０Ｅのベースプレート２１Ｅの外周縁から上方に延びる円筒状の壁体であり、その上端部が径方向内側にかしめられることにより、芳香剤保持部材３０がボタン本体２０Ｅに固定される。
【００４０】
以上説明したように、本実施形態のボタン１０Ｅによれば、ボタン本体２０Ｅの上面に取り付けられる芳香剤保持部材３０を備え、芳香剤保持部材３０に芳香剤が含浸されているため、ボタン１０Ｅに香りを付与することができる。
【００４１】
また、本実施形態のボタン１０Ｅによれば、取付部材４０Ｅがボタン本体２０Ｅと一体に設けられるため、部品点数を少なくすることができる。
【００４２】
なお、本実施形態では、ボタン１０Ｅにソケット１１Ｅが結合されているが、逆に、ボタン１０Ｅにスタッド１２Ｅが結合されていてもよい。この場合、下生地Ｃ２にソケット１１Ｅが取り付けられる。
その他の構成及び作用効果については、上記第１実施形態と同様である。
【００４３】
（使用例）
上記本実施形態のボタン１０〜１０Ｅは、図８に示すように、シャツ５０のボタン５１に使用することができ、また、図９に示すように、パンツ６０のボタン６１に使用することができる。
【００４４】
なお、本考案は上記各実施形態に例示したものに限定されるものではなく、本考案の要旨を逸脱しない範囲において適宜変更可能である。
【符号の説明】
【００４５】
１０，１０Ｂ，１０Ｃ，１０Ｄ，１０Ｅ  ボタン
２０，２０Ｂ，２０Ｅ  ボタン本体
２１  ボタンバック
２２，２２Ｂ  カバー部材
２３  コアプレート
２４  アイレット
３０  芳香剤保持部材
４０，４０Ｅ  取付部材
４１  上面板
Ｓ  刻印
【図１】
0003212511.tif 000003
【図２】
0003212511.tif 000004
【図３】
0003212511.tif 000005
【図４】
0003212511.tif 000006
【図５】
0003212511.tif 000007
【図６】
0003212511.tif 000008
【図７】
0003212511.tif 000009
【図８】
0003212511.tif 000010
【図９】
0003212511.tif 000011